(57)【要約】【課題】軽量であって、十分な視野が得られるとともに、不使用時においても通常の視界を妨げることがなく、長時間に亘って装着しても疲れを生じない眼鏡に装着するタイプのルーペを提供する。【解決手段】眼鏡５０の上端であってフレーム５１あるいはレンズ５２の部分に取付けるための取付け部１１と、この取付け部１１から下方に延びており、上下に回動可能なサポート部材１２と、このサポート部材１２の先端部に保持ブラケット１３を介して保持されるプラスチックレンズ１４とから成るルーペである。【選択図】図１
2015169767.tif 000002
【特許請求の範囲】
【請求項１】
眼鏡のフレームまたはレンズに取付ける取付け部と、
前記取付け部に回動式のはね上げ機構を介して取付けられており、装着時に鼻の前方に位置するサポート部材と、
前記サポート部材の先端部に設けられた保持部と、
前記保持部によって左右の中心部であって下縁側が支持されるレンズと、
を具備するルーペ。
【請求項２】
前記取付け部は、前記眼鏡のフレームまたはレンズの左右の中心であって上側にこのルーペを取付ける請求項１に記載のルーペ。
【請求項３】
前記取付け部は、基体に連結された受け部と、ばねによって前記受け部側に弾性的に押圧される押え部とを具備し、前記受け部と前記押え部とによって前記眼鏡のフレームまたはレンズを挟着する請求項１または２に記載のルーペ。
【請求項４】
前記サポート部材は棒状をなし、前記基体に回動可能に支持されており、不使用時に上方に回動されてはね上げられる請求項３に記載のルーペ。
【請求項５】
前記サポート部材の基端側にトグルばねが内蔵されており、前記サポート部材は下方の使用位置と上方の不使用位置とでそれぞれ弾性的に保持される請求項４に記載のルーペ。
【請求項６】
前記保持部材は前記サポート部材の先端部に設けられた保持ブラケットから構成され、前記保持ブラケットに前記レンズの下縁の連結ピンが回動可能に支持されている請求項１〜６の何れかに記載のルーペ。
【請求項７】
前記保持部の連結ピンに円周方向に間欠的に係止用突起が設けられたリングが取付けられ、該係止用突起が前記保持ブラケットの内側面に形成された突部と係合して間欠的に係止される請求項６に記載のルーペ。
【発明の詳細な説明】
【技術分野】
【０００１】
本発明はルーペに係り、とくに眼鏡のフレームまたはレンズに取付けられるルーペに関する。
【背景技術】
【０００２】
歯科診療における治療、その他の医療上の処置の際に、患部をより明確に視認できるようにするために、医師が装着した眼鏡のフレームあるいはレンズの部分にルーペを取付け、このルーペを通して患部を拡大視するようにしている。この種のルーペは、歯科診療や通常の手術等の際に好んで用いられる。またこのようなルーペは、ネイルアーティスト、時計職人等のような細かい作業をする人達が利用することができるルーペでもある。その他に高齢者の拡大鏡として、あるいはまたパソコン等の操作を行なう際のルーペとして用いることもできる。
【０００３】
従来のこの種のルーペは、比較的重量が重く、しかも視野が狭いという欠点があった。また不使用時に視野の外に移動させても視界の妨げになるという欠点があり、さらには長時間に亘って付けると疲れを生ずる等の欠点があった。
【０００４】
特開２００３−２０７７２３号公報には、眼鏡の左右各レンズの前面に配置される一対の拡大レンズ部を備え、眼鏡の鼻掛け部付近で相互に噛合する歯車を設けるとともに、各歯車を眼鏡枠部に対して取り付けられる支持具に回転自在に軸着し、歯車に一端が一体に固定され、左右両側方に延設される一対の支持杆のうち拡大レンズ部を対応する支持杆の長手方向に沿ってそれぞれ位置調節可能に支持し、少なくとも一方の支持杆の一端に操作片を着脱自在に装着し、この操作片を介して各拡大レンズ部を同時に跳ね上げ可能に構成した医療用双眼式ルーペが開示されている。
【０００５】
このような構成のルーペは、不使用時に眼鏡の上方に移動するようになっているものの、上方視界を遮るようになっている。また歯車式の回転機構を用いているために、重量が重く、この重量が眼鏡を介して操作者の顔の部分に負担を与える欠点がある。また長時間に亘って装着すると疲れ易くなるという欠点を持っている。
【先行技術文献】
【特許文献】
【０００６】
【特許文献１】特開２００３−２０７７２３号公報
【発明の概要】
【発明が解決しようとする課題】
【０００７】
本願発明の課題は、軽量なルーペを提供することである。
【０００８】
本願発明の別の課題は、視界が広く、使用時に前方をレンズの上から見えるようにしたルーペを提供することである。
【０００９】
本願発明のさらに別の課題は、不使用時に上方に回動させることによって、前方の視界を遮ることがないようにしたルーペを提供することである。
【００１０】
本願発明のさらに別の課題は、装着したままでも診療の妨げにならないルーペを提供することである。
【００１１】
本願発明のさらに別の課題は、長時間に亘って装着しても、装着者が疲れを感じないようにしたルーペを提供することである。
【００１２】
本願発明のさらに別の課題は、歯科の治療に用いて好適なルーペを提供することである。
【００１３】
本願発明の上記の課題および別の課題は、以下に述べる本願発明の技術的思想、およびその実施の形態によって明らかにされる。
【課題を解決するための手段】
【００１４】
本願の主要な発明は、眼鏡のフレームまたはレンズに取付ける取付け部と、
前記取付け部に回動式のはね上げ機構を介して取付けられており、装着時に鼻の前方に位置するサポート部材と、
前記サポート部材の先端部に設けられた保持部と、
前記保持部によって左右の中心部であって下縁側が支持されるレンズと、
を具備するルーペに関するものである。
【００１５】
ここで、前記取付け部は、前記眼鏡のフレームまたはレンズの左右の中心であって上側にこのルーペを取付けてよい。また前記取付け部は、基体に連結された受け部と、ばねによって前記受け部側に弾性的に押圧される押え部とを具備し、前記受け部と前記押え部とによって前記眼鏡のフレームまたはレンズを挟着し
てよい。また前記サポート部材は棒状をなし、前記基体に回動可能に支持されており、不使用時に上方に回動されてはね上げられてよい。また前記サポート部材の基端側にトグルばねが内蔵されており、前記サポート部材は下方の使用位置と上方の不使用位置とでそれぞれ弾性的に保持されてよい。
【００１６】
また、前記保持部材は前記サポート部材の先端部に設けられた保持ブラケットから構成され、前記保持ブラケットに前記レンズの下縁の連結ピンが回動可能に支持されてよい。また前記保持部の連結ピンに円周方向に間欠的に係止用突起が設けられたリングが取付けられ、該係止用突起が前記保持ブラケットの内側面に形成された突部と係合して間欠的に係止されてよい。
【発明の効果】
【００１７】
本願の主要な発明は、眼鏡のフレームまたはレンズに取付ける取付け部と、
前記取付け部に回動式のはね上げ機構を介して取付けられており、装着時に鼻の前方に位置するサポート部材と、
前記サポート部材の先端部に設けられた保持部と、
前記保持部によって左右の中心部であって下縁側が支持されるレンズと、
を具備するものである。
【００１８】
従ってこのようなルーペによると、取付け部を介して眼鏡のフレームまたはレンズに取付けることができ、しかもサポート部材によって上方の跳ね上げ位置と下方の使用位置との間でレンズの位置を変えることができる。そしてこのようなルーペは、軽量であって、視野が広く、また不使用時においても通常の視界を妨げることがなく、長時間の装着によっても疲れを生ずることがない。従って、とくに歯科の診療に用いて好適なルーペを提供することが可能になる。
【図面の簡単な説明】
【００１９】
【図１】ルーペを斜め前方から見た全体の斜視図である。
【図２】同ルーペの正面図である。
【図３】同ルーペの側面図である。
【図４】同ルーペの分解斜視図である。
【図５】トグル機構の分解斜視図である。
【図６】トグル機構のトグル動作を示す縦断面図である。
【図７】眼鏡に装着して使用している状態を示すルーペの側面図である。
【発明を実施するための形態】
【００２０】
以下本願発明を図示の実施の形態によって説明する。
【００２１】
図１〜図３に示すように、本実施の形態のルーペは、眼鏡のフレームあるいはレンズに取付けるための取付け部１１と、この取付け部１１から下方に延びるように連結されている棒状のサポート部材１２と、このサポート部材１２の先端部に取付けられた保持ブラケットから成る保持部１３と、この保持部１３によって左右の中心部であって下縁部が支持されているレンズ１４とから構成される。ここでレンズ１４は、ほぼ矩形状をなすプラスチックレンズであってしかも左右の両部を一体に備えたレンズである。
【００２２】
まず取付け部１１について説明する。取付け部１１はプラスチック製の基体１８を備え、基体１８は、その両側に斜め下方に延出された受けアーム１９を備えている。受けアーム１９の先端部には、柔軟な合成樹脂製の受けパッド２０が取付けられている。
【００２３】
次に上記基体１８の上部に設けられた押えバー２３の保持構造について説明すると、基体１８には左右一対のＬ型突部２１が連設され、しかもその内側には左右にそれぞれ押え突部２２が設けられている。これらのＬ型突部２１と押え突部２２とによって、押えバー２３が回動可能に設けられている。押えバー２３はその両端がそれぞれ下方に屈曲されるとともに、押えパッド２４が取付けられている。そして押えバー２３にはばね２５が嵌挿され、このばね２５によって押えバー２３を回動付勢し、両側の押えパッド２４を受けパッド２０に対して押圧するようにしている。上記ばね２５の両端部は、押えバー２３の押圧レバー２６に圧着されるようになっている。押圧レバー２６は押えバー２３に固着されている。押圧レバー２６を押圧すると、ばね２５に抗して押えパッド２４が受けパッド２０から離間するようになる。
【００２４】
図４〜６に示すように、上記基体１８の下端側には一対の連結アーム３０が下方に延出するように突出されている。そして両側の連結アーム３０はその中間の部分で連結ブロック３１を受入れるとともに、ピン孔３２を通過するピン３３によって連結ブロック３１を連結アーム３０に連結して保持している。連結ブロック３１は、サポート部材１２の上端に形成された凹部３５内に摺動自在に収納されているばねケース３６の上部開口に加締めて固着されている。ばねケース３６の中心部にはばね受け３７が収納されかつ上端の大径部でばねケース３６に収納されているトグルばね３４を受けるようになっている。連結ブロック３１は、このトグルばね３４によって、サポート部材１２が下方の使用位置にあるときと跳ね上げて不使用位置にある場合において、このサポート部材１２をそれぞれそれらの位置で安定に保持するようにしている。
【００２５】
図４および図５は上記のようなサポート部材１２を引出し位置および跳ね上げ位置においてそれぞれ安定的に保持するためのトグル機構の分解斜視図を示し、図６はこのようなトグル機構によるトグル動作を示している。基体１８の下端側の連結アーム３０は、ピン３３を介してトグルばね３４の上端側の連結ブロック３１に連結されている。図６Ａに示すように、連結ブロック３１の基端３８はばねケース３６内に挿入されて加締められており、ケース３６と一緒に移動するようにしている。なおトグルばね３４は、圧縮コイルばねから構成されている。ケース３６内に配されているばね受け３７の下端部は、サポート部材１２に固定されている。
【００２６】
図６Ａに示すように、サポート部材１２が基体１８に対して引出し位置に回動されると、連結アーム３０の先端部がサポート部材１２の上面に当接し、このときにトグルばね３４によって連結ブロック３１を介して連結アーム３０が下方に引張られた状態になる。これに対してサポート部材１２を中間位置まで回動させた場合には、図６Ｂに示すように、このサポート部材１２の上端に連結アーム３０の先端のコーナの部分が当接する。このときにトグルばね３４を収納するばねケース３６が最も高い位置に引張られる。このときには、連結アーム３０に対して、サポート部材１２が右方と左方の何れの方向かに回転するように付勢され、極めて不安定な状態になる。一方サポート部材１２を上方に跳ね上げた場合には、図６Ｃに示すように、連結アーム３０の前端縁の平坦な部分がサポート部材１２の上端部に接触し、安定にトグルばね３４によって付勢される。
【００２７】
次にサポート部材１２の下端に設けられている保持部の構造について説明する。図１〜図４に示すように、サポート部材１２の下端側には下方に突出するように連結ボス４０が突設され、この連結ボス４０が保持ブラケット１３の小孔４１に挿入されて接着剤で固定されている。そしてレンズ１４の左右の中心側であって下縁側には突部４２が設けられるとともに、この突部４２の先端部に両側に突出してピン４３が連設されている。これらのピン４３が上記保持ブラケット１３の軸受部３９に受けられ、これによって保持ブラケット１３によってレンズ１４が回動可能に支持されている。
【００２８】
上記レンズ１４の突部４２の両側のピン４３の内の一方のピン４３には係止リング４４が挿入されている。この係止リング４４は、その外周側に係止突部４５を備え、この係止突部４５が保持ブラケット１３の軸受部３９の内側面に形成された突部４６と係合し、これによって回転時に間欠的に抵抗を生ずるようにし、各回転位置において安定的に保持できるようにしている。
【００２９】
次に以上のような構成に係るルーペの使用方法について説明する。眼鏡５０にルーペを装着する場合には、図７に示すように、取付け部１１の押圧レバー２６を押圧し、これによってこの押圧レバー２６が設けられている押えバー２３を図７において反時計方向に回動させる。押えバー２３の両端に設けられている押えパッド２４は押圧レバー２６の押圧動作によって、押えバー２３と同様に反時計方向に回動する。なおこのときの押えバー２３および押えパッド２４の回転中心は、押えバー２３を回転支持するＬ型突部２１と押え突部２２との間の軸受部分である。
【００３０】
このように押圧レバー２６によって押えバー２３を回動操作することにより、押えパッド２４が受けパッド２０から離間するために、これらの押えパッド２４と受けパッド２０との間の空間内に眼鏡５０のフレーム５１あるいはレンズ５２を導くようにして、眼鏡５０の左右の中心であって鼻の上部の位置にこのルーペを取付ける。そしてこの後押圧レバー２６による押圧力を解除すると、ばね２５の弾性復元力によって、押えバー２３を介して押えパッド２４が眼鏡５０のフレーム５１あるいはレンズ５２を受けパッド２０に押圧することになり、眼鏡５０の上部が押えパッド２４と受けパッド２０とによって挟着される。このために、このルーペは眼鏡５０の上部に取付けられる。
【００３１】
このようにして取付けられた眼鏡５０は、サポート部材１２を回動操作することによって、図７において実線で示す使用位置と、鎖線で示す上方への跳ね上げ位置との間で回動させて移動させることができる。実線で示す使用状態においては、サポート部材１２の上端の連結ブロック３１のピン孔３２を通過するピン３３を中心としてサポート部材１２を下方に回動させておく。そして眼鏡５０のレンズ５２の前方にあるルーペのレンズ５２を通して患部を見ることができる。すなわちここでは、ルーペのレンズ１４によって拡大した状態で対象物を見ることができる。なおレンズ１４は、ピン４３を介して保持ブラケット１３に回動可能に取付けられているために、サポート部材１２を使用位置に下ろした状態においてなお適当な姿勢に角度調整することができる。
【００３２】
次にこのルーペを使用しない場合には、図７において鎖線で示す上方の跳ね上げ位置に跳ね上げればよい。この場合には、ピン３３を中心としてサポート部材１２を上方に跳ね上げるようにする。これによって、通常の視界を確保することができる。またこのルーペを取外す場合には、上記の取付け動作とは逆に、押圧レバー２６を押圧し、押えバー２３を図７において反時計方向に回動させて押えパッド２４を受けパッド２０から離間させ、眼鏡５０のフレーム５１から取外せばよい。
【００３３】
このようなルーペの特徴は、レンズ１４をその上端ではなく下端から支えるようにしており、レンズ１４の左右の中央の下縁側の部分をサポート部材１２の先端部で、保持部１３を介して支持するようにしている。ここでサポート部材１２は、その上端がピン３３から成る回転機構を備え、しかもトグルばね３４を用いたトグル機構が内蔵されているために、下方の使用位置と上方の跳ね上げ位置のそれぞれにおいて、安定的に回動状態が維持されるようになっている（図６参照）。またこのようなルーペは、図７において鎖線で示す鎖線跳ね上げ位置だけではなく実線で示す使用位置においても、なお前方視界を遮られることがなく、とくにレンズ１４を下方に回動させておけば、前方視界がほぼ完全に得られる。またサポート部材１２を跳ね上げると、完全にレンズ１４が視界の外に移動することになる。
【００３４】
従って、軽量であって、視界が広く、長時間つけても疲れないルーペを提供できるようになる。また使用位置へサポート部材１２を引下げた状態でも、なおレンズ１４を下方に回動させておけば、レンズ１４を視界の外に置くことができ、長時間付けていても疲れないルーペになる。従ってこのようなルーペは、歯の診療に最適なものである。また歯科以外の医療の用途にも用いることができ、軽い手術等には十分に適用可能である。さらには医療分野以外においても、細かい作業を行なうことができ、ネイルアーティストや時計職人が作業を行なう際に用いることも可能である。その他老人の拡大鏡の一つとして用いることができ、広範な利用範囲を有するものである。
【００３５】
以上本願発明を図示の実施の形態によって説明したが、本願発明は上記実施の形態によって限定されることなく、本願発明の技術的思想の範囲内において各種の変更が可能である。例えば取付け具１１や保持部１３の具体的な構成については、各種の設計変更が可能である。
【産業上の利用可能性】
【００３６】
本願発明に係るルーペは、歯科治療の際に用いるルーペ、あるいは通常の医療の際における軽微な手術のためのルーペ、その他の細かい作業を行なう際の拡大鏡として広く利用することができる。
【符号の説明】
【００３７】
１１  取付け部
１２  サポート部材
１３  保持ブラケット（保持部）
１４  レンズ
１８  基体
１９  受けアーム
２０  受けパッド
２１  Ｌ型突部
２２  押え突部
２３  押えバー
２４  押えパッド
２５  ばね
２６  押圧レバー
３０  連結アーム
３１  連結ブロック
３２  ピン孔
３３  ピン
３４  トグルばね
３５  凹部
３６  ばねケース
３７  ばね受け
３８  連結ブロックの基端
３９  軸受け部
４０  連結ボス
４１  小孔
４２  突部
４３  ピン
４４  係止リング
４５  係止突部
４６  突部
５０  眼鏡
５１  フレーム
５２  レンズ
【図１】
2015169767.tif 000003
【図２】
2015169767.tif 000004
【図３】
2015169767.tif 000005
【図４】
2015169767.tif 000006
【図５】
2015169767.tif 000007
【図６】
2015169767.tif 000008
【図７】
2015169767.tif 000009